(57)【特許請求の範囲】
【請求項１】
列をなす複数の遊技機とその関連設備とを備え、関連設備がそれぞれ内設された島下段と島上段との間に、前記複数の遊技機をその列と平行な島長手方向に移動可能に設置して島中段を構築した遊技機島であって、
前記島上段の外壁をなす幕板は、中央板部と該中央板部の両端縁よりそれぞれ側方に出没可能な一対の側板部を重ねて構成し、該中央板部と一対の側板部よりなる幕板を、前記島上段を構成する枠組に設けられた上レールと下レール間に摺動可能に挟持して配設したことを特徴とする遊技機島。
【発明の詳細な説明】
【０００１】
【発明の属する技術分野】
本発明は、列をなすよう並設される複数の遊技機と、各遊技機で使う遊技媒体や該遊技媒体の貸出しと引き換えに取り込まれる紙片を処理する遊技関連設備とから構成される遊技機島に関する。ここで遊技機とは、主としてパチンコ台を指すものであり、遊技媒体はパチンコ球である。
【０００２】
【従来の技術】
従来の遊技機島としては、例えば、図９に示すようなものがある。
このような遊技機島１では、その組立時における個々のパチンコ台２や球貸機３の取付けは、フロア上に固設された島の骨格内に予め位置決めされた所定スペース毎に、パチンコ台２等を正面側より嵌込むようして固定していた。このようにパチンコ台２や球貸機３を複数並設してなる島中段の上には、パチンコ球を各パチンコ台２等に供給する給配樋５や連通部材６等の関連設備が内設された島上段が一体的に構築されている。
【０００３】
島上段には、その下のパチンコ台２の数台毎に対応するように区分された幕板７が開閉可能に装着されている。かかる幕板７は島上段の外壁をなすよう通常は閉じられているが、開けた際には内部の連通部材６や補給樋５を点検することができ、連通部材６における球詰まり等を解消できるようになっている。
【０００４】
【発明が解決しようとする課題】
しかしながら、前述したような従来の遊技機島１では、島中段をなす各パチンコ台２は島骨格内にて予め位置決めされた所定スペース内に固定するので、遊技機島１の組立時にパチンコ台２の取付位置に誤差が生じたり、急に異なる横幅のパチンコ台に変更するような場合には、その取付位置を調整変更するようなことは極めて困難であった。特に、パチンコ台２はメーカーや機種毎に横幅寸法が多少異なるため、最初から厳密な位置決めを行いその位置に各パチンコ台２を取付けるような作業は非常に煩わしく、時間がかかり、コストアップの要因になるという問題点があった。
【０００５】
また、島のパチンコ台２を新しい機種のパチンコ台２と交換するような場合、かかる交換作業はパチンコ台２を１台ずつ取外したり、取付けなければならず面倒であり、更に、新たに導入するパチンコ台の横幅が前の台と異なる場合には、既存の台用のスペースに新たな台の寸法が合致しないから、交換作業は非常に困難であった。
【０００６】
ところで、従来にない新たな構成により、仮にパチンコ台２を自由に島長手方向へ移動させて島端から順次詰めるように取付けられるとすると、予めパチンコ台２の厳密な位置決めを行う必要がなくなり、しかも後から取付位置の誤差を解消したり、新たな台への交換作業も容易化できるが、次のような問題が予想される。
【０００７】
すなわち、かかるパチンコ台２の島長手方向への移動による位置調整や交換によって、今度は各パチンコ台２に対応すべく位置決めされて島上段側に設けられていた幕板７と、各パチンコ２台との位置関係がずれる事態を招いてしまう。このような時、従来の単に開閉可能な幕板７ではパチンコ台２の移動には全く対処できず、例えば外観上問題となり、特に幕板上に各パチンコ台毎に対応するような紙片投入口や呼出しボタン等を設ける場合には、これらとパチンコ台との位置関係がずれてしまい、遊技者に不便をきたすおそれもある。
【０００８】
本発明は、以上のような従来技術の有する問題点に着目してなされたもので、島中段をなす各遊技機を島長手方向に移動させて配置したり容易に位置調整することができ、しかも、各遊技機の移動に対応させてその上の幕板をも最適な位置に適宜調整したり、更には幕板自体の長さも変えることができる遊技機島を提供することを目的としている。
【０００９】
【課題を解決するための手段】
前述した目的を達成するための本発明の要旨とするところは、以下の項に存する。
列をなす複数の遊技機（１１）とその関連設備とを備え、関連設備がそれぞれ内設された島下段（１０Ａ）と島上段（１０Ｃ）との間に、前記複数の遊技機（１１）をその列と平行な島長手方向に移動可能に設置して島中段（１０Ｂ）を構築した遊技機島であって、
前記島上段（１０Ｃ）の外壁をなす幕板（６０，６０Ａ，６０Ｂ）は、中央板部（６１）と該中央板部（６１）の両端（６１ａ，６１ａ）縁よりそれぞれ側方に出没可能な一対の側板部（６２，６２）を重ねて構成し、該中央板部（６１）と一対の側板部（６２，６２）よりなる幕板（６０，６０Ａ，６０Ｂ）を、前記島上段（１０Ｃ）を構成する枠組に設けられた上レール（４５）と下レール（４３）間に摺動可能に挟持して配設したことを特徴とする遊技機島に存する。
【００１２】
次に前述した解決手段に基づく作用を説明する。
請求項１に係る遊技機島によれば、島中段（１０Ｂ）は、複数の遊技機（１１）を、島下段（１０Ａ）と島上段（１０Ｃ）との間に島長手方向に移動させつつ列をなすよう設置すればよく、各遊技機（１１）を移動させて島端から順次並ぶよう詰めればよい。それにより、島組立て時に各遊技機（１１）の取付スペースの厳密な位置設定が不要となり、島の組立て作業を能率的かつ迅速に行なうことができる。
【００１３】
また、遊技機（１１）の設置後においても、遊技機（１１）を島長手方向に適宜移動させて取付位置の誤差を解消することもできる。また、島中段（１０Ｂ）の遊技機（１１）を新しい機種と交換するような場合には、かかる交換作業は遊技機（１１）を１台ずつ移動させて島端から外し、新たに導入する遊技機（１１）を、その横幅を気にすることなく端から順に詰まるように配置すればよい。
【００１４】
更に、遊技機（１１）の移動に応じるように、島上段（１０Ｃ）の外壁をなす幕板（６０，６０Ａ，６０Ｂ）も各遊技機（１１）毎に対応するような適当な位置に移動させることができる。すなわち、遊技機（１１）の移動に起因して、各遊技機（１１）に対応すべく位置決めされた幕板（６０…）と各遊技機（１１）との微妙な位置関係がずれたとしても、幕板（６０…）を遊技機（１１）の移動に対応するよう動かせばよく、外観を損なうことがない。特に幕板（６０…）上に各遊技機（１１）毎に対応した紙片投入口や呼出しボタン等が配設されている場合には、これらを幕板（６０…）ごと遊技者が操作し易いような位置に適宜調整することができる。
【００１５】
更にまた、幕板（６０）は島長手方向に移動できるのみならず、それ自体の長さも島長手方向に伸縮自在であるため、新たに導入する遊技機（１１）の横幅が前のものと異なる場合でも、変化する遊技機列の長さに十分対応することが可能であり、簡易な構成により幕板（６０）を確実かつ十分に伸縮させることができる。
【００１６】
【発明の実施の形態】
以下、図面に基づき本発明の各種の実施形態を説明する。
図１〜図６は本発明の第１の実施の形態を示している。
本実施形態に係る遊技機島１０は、列をなす複数の遊技機１１，１１…や、各遊技機１１で使う遊技媒体であるパチンコ球を貸し出す球貸機１２、それに紙片搬送装置５０、ベルト式揚送研磨装置８０等の関連設備から構成されている。かかる遊技機島１０は、島土台をなす島下段１０Ａ、各遊技機１１や球貸機１２が列をなす島中段１０Ｂ、それに島最上部をなす島上段１０Ｃから成る。
【００１７】
図１及び図２に示すように、島下段１０Ａは、腰板３１と天板３２とが一体的に箱状に形成され、島全体を支える強度を備えた腰部支持体が主要部を成している。腰部支持体の内部には大容量の貯留タンク３３が配設されている。貯留タンク３３は、各遊技機１１から排出されたパチンコ球をそのまま貯留するものであり、腰板３１の内側に沿うように嵌込まれている。また、貯留タンク３３の両側端には、島端付近に位置する遊技機１１から排出された球をタンク内へ導くための球受樋３５が配設されている。
【００１８】
貯留タンク３３の傾斜した底部の最下部位が位置する島中央には、貯留タンク３３内の球を研磨しながら島上段１０Ｃへ揚送するためのベルト式揚送研磨装置８０が立設されている。このベルト式揚送研磨装置８０は、粒状研磨剤と球とを螺旋体で攪拌する従来の装置とは異なり、図示省略したが対接し合う一対の無端ベルトを上下方向に延びるように配し、各無端ベルト間に球を挾持して揚送するベルトコンベヤから成る。ここで無端ベルトは、例えば６ナイロンまたは６６ナイロンから成形された研磨材を主成分とし、他に静電気除去材、研磨増強材を混入したり、他の合成樹脂、繊維物質等より成形されるものである。
【００１９】
図１に示すように、島下段１０Ａの天板４２上には、各遊技機１１の下端が島長手方向に摺動可能に嵌合する下方レール部材２１が設けられており、後述する島上段１０Ｃの下面部４２には、各遊技機１１の上端が島長手方向に摺動可能に嵌合する上方レール部材２２が設けられている。そして、島中段１０Ｂは、上方レール部材２２と下方レール部材２１との間に、各遊技機１１を摺動させて配置して成り、各遊技機１１は、島下段１０Ａ上に立設された中段支持体２０を間にして前後２列に配されている。
【００２０】
下方レール部材２１は、各遊技機１１の下端が摺動可能に嵌合するよう遊技機１１の奥行幅に合致した略コ字形断面に形成されている。かかる下方レール部材２１は、島下段１０Ａの天板３２上にそのまま固設されている。上方レール部材２２は、各遊技機１１の上端が摺動可能に嵌合するように、遊技機１１の上端面に沿うと共に背面側へも垂下した略Ｌ字形断面に形成されている。かかる上方レール部材２２は、島上段１０Ａの下面部４２に取付ネジ２３により固定されている。
【００２１】
島中段をなす遊技機１１は、本実施形態ではパチンコ台である。すなわち、遊技機１１は、ハンドル操作によってパチンコ球を盤面上に打ち出し、打球の入賞を競い楽しむものであり、正面側には球を機内に導入する前皿や、球貯留用の予備皿等が設けられている。各遊技機１１間に介装された球貸機１２は、後述する紙幣識別機７０（図３参照）からの信号を受けた際に、相当数の球を計数しつつ払い出すものである。かかる球貸機１２は遊技機１１と略同一の奥行幅に設定されており、球貸機１２も各遊技機１１と伴に、上下のレール部材２１，２２間を摺動させて配置されている。
【００２２】
図１〜図３に示すように、前記島中段１０Ｂの上側に構築される島上段１０Ｃは、その下面部４２や上面部４４、仕切り板４０等から構成された枠組内に、紙幣を島長手方向に搬送する紙片搬送装置５０や、各遊技機１１にパチンコ球を供給する給配樋４１等を配設して成る。ここで紙片搬送装置５０は、島長手方向に延びるように張設したベルトコンベヤから成るものである。また、給配樋４１は、所定間隔おきに設けられた仕切り板４０間にて高さ位置を調整できるようになっている。なお、図示省略したが給配樋４１の途中箇所には、各遊技機１１及び各球貸機１２に対応した球の供給部材が取付けられている。
【００２３】
島上段１０Ｃの枠組には、外壁をなす幕板６０，６０Ａ，６０Ｂが、遊技機列上に沿って島長手方向に移動可能に配設されている。幕板６０は島長手方向にある程度伸縮自在に構成されているが、伸縮しない通常の幕板６０Ａは遊技機１１の１台分に対応した長さに設定され、また、別の幕板６０Ｂは遊技機１１の２台分に対応した長さに設定されている。
【００２４】
図３に示すように、島下段１０Ａの下面部４２の前端縁には、各幕板６０，６０Ａ，６０Ｂの下端が島長手方向に摺動可能に嵌合する下レール４３が設けられており、一方、上面部４４の前端縁には、各幕板６０，６０Ａ，６０Ｂの上端が島長手方向に摺動可能に嵌合する上レール４５が設けられている。すなわち、各幕板６０，６０Ａ，６０Ｂは、島上段１０Ｃ内の関連設備を隠蔽すべく下レール４３と上方レール４５との間に、島端より摺動させて適所に配置されている。
【００２５】
更に詳しく言えば、図４〜図６に示すように、伸縮自在な幕板６０は、中央板部６１に、その両端６１ａ，６１ａよりそれぞれ側方に出没可能な一対の側板部６２，６２を重ね合わせて成る。中央板部６１や側板部６２は、それらの上下端間が円弧形断面になるよう形成され、互いに重なり合うようにスライド可能に連結されている。また、側板部６２の外端にはキャップ６３が嵌着されている。図４及び図６（ａ）に示す幕板６０は、最小限の長さに縮めた状態ものであり、一方、図５及び図６（ｂ）に示す幕板６０は、中央板部６１の両側方より側板部６２，６２を最大限に伸ばした状態のものである。
【００２６】
図２及び図３に示すように、各幕板６０，６０Ａ，６０Ｂの裏側の要所には、その真下の各遊技機１１毎に対応するよう紙幣識別機７０が配設されている。紙幣識別機７０の前側には紙片投入口７１が連通しており、紙幣識別機７０の後側には投入された紙幣を紙片搬送装置５０のベルト上に導くガイド通路７２が接続されている。
【００２７】
紙幣識別機７０は、紙片投入口７１に投入された紙幣或はカード類の額に応じたパチンコ球の払い出しを球貸機１２に指令するものである。具体的には紙幣識別機７０は、インターフェース，ＣＰＵ，ＲＡＭ，ＲＯＭ等を含んだマイクロコンピュータを具備して成り、遊技者が紙片投入口７１に投入した紙幣を磁気・光方式で特定する識別部等も備えている。
【００２８】
次に第１の実施の形態における作用を説明する。
遊技機島１０の島下段１０Ａはフロア上に固設するが、その上の島中段１０Ｂは、島下段１０Ａ側の下方レール部材２１と島上段１０Ｃ側の上方レール部材２２との間に、各遊技機１１や球貸機１２を島長手方向に移動させつつ列をなすよう設置すればよい。それにより、島組立て時に各遊技機１１の取付スペースの厳密な位置設定が不要となり、単に各遊技機１１や球貸機１２を島端から順次並ぶように詰めれば適所に配置でき、島の組立て作業を能率的かつ迅速に行なうことができる。
【００２９】
また、遊技機１１の設置中において、遊技機１１を島長手方向に適宜移動させて取付位置の誤差を解消することもできる。例えば、各遊技機１１の島長手方向における左右位置が、島前方に設置される椅子に対してずれるような場合には、それに応じて遊技機１１を島長手方向へ移動させて位置ずれを容易に解消でき、遊技機１１の操作上都合のよい配置に調整すればよい。
【００３０】
遊技機島１０の組立て後において、島中段１０Ｂを構成する遊技機１１を新しい機種と交換するような場合には、かかる交換作業は遊技機１１を１台ずつ移動させて島端から外し、新たに導入する遊技機１１を、その横幅を気にすることなく端から順に詰まるように配置すればよく、従来煩雑であった遊技機の交換作業も非常に簡単に行なうことができる。
【００３１】
更にまた、遊技機１１の移動に応じるように、島上段１０Ｃの外壁をなす各幕板６０，６０Ａ，６０Ｂも各遊技機１１毎に対応するような適当な位置に移動させて設置したり、後から位置調整することもできる。すなわち、遊技機１１の移動に起因して、各遊技機１１に対応すべく位置決めされた各幕板６０，６０Ａ，６０Ｂと各遊技機１１との位置関係がずれたとしても、各幕板６０，６０Ａ，６０Ｂを遊技機１１の移動に対応するよう適宜動かせばよく、外観を損なうことがない。
【００３２】
特に、図２に示すように、各幕板６０，６０Ａ，６０Ｂ上に各遊技機１１毎に対応した紙片投入口７１や呼出しボタン（図示せず）等が配設されている場合には、これらを幕板６０，６０Ａ，６０Ｂごと遊技者が操作し易いような各遊技機１１の真上に位置するように適宜調整することができる。また、図４〜図６に示す幕板６０は単に島長手方向に移動できるのみならず、それ自体の長さも島長手方向に伸縮自在であるため、例えば、新たに導入する遊技機の横幅が前の遊技機１１と異なる場合でも、変化する遊技機列の長さに十分対応することが可能である。
【００３３】
島上段１０Ｃ内の給配樋４１やその途中に取付けられた供給部材（図示せず）に球が詰まったり、或は紙幣識別機７０のメンテナンス時には、伸縮自在な幕板６０を図４に示すように最小限の長さに縮めて各幕板６０，６０Ａ，６０Ｂの間に点検用の隙間を作ればよい。かかる隙間は各幕板６０，６０Ａ，６０Ｂを移動させて所望の位置にずらすことができる。このような各幕板６０，６０Ａ，６０Ｂのスライド移動によれば、従来の上下に開閉する幕板７（図９参照）の如く、島上段１０Ｃ内部の点検や球詰まり解消後に閉じる際に過大な衝撃音が生じたり、島上段１０Ａが振動するようなこともなく、穏やかに島上段１０Ａを開閉することが可能となる。
【００３４】
図７は本発明の第２の実施の形態を示している。
本実施形態では、下方レール部材２１を島下段１０Ａの天板３２の表面上に突出しないよう凹設すると共に、上方レール部材２２を島上段１０Ｃの下面部４２の表面上に突出しないように凹設したものである。詳しく言えば、天板３２には島長手方向に延びる取付用溝３２ａが形成されており、この取付用溝３２ａの中に嵌るように下方レール部材２１が凹設されている。
【００３５】
同様に、島上段１０Ｃの下面部４２にも島長手方向に延びる取付用溝４２ａが形成されており、この取付用溝４２ａの中に嵌るように上方レール部材２２が凹設されている。本実施形態に係る遊技機島１０ａによれば、下方レール部材２１や上方レール部材２２が島の外表面上に突出することがなく、島の外観や安全性を損なうことがない。なお、前記第１の実施形態と同種の部位については、同一符号を付し重複した説明は省略する。
【００３６】
図８は本発明の第３の実施の形態を示している。
本実施形態では、上方レール部材２２を、各遊技機１１の上端前後も覆う略コ字形断面に形成し、該上方レール部材２２の内面上端と、前記下方レール部材に嵌合した各遊技機１１の上端との間に、遊技機種により異なる高さ寸法に対応すべく隙間２５を設けている。
【００３７】
詳しく言えば、上方レール部材２２は上端板とその前後端縁より垂下する前垂れ板，後垂れ板とから成り、前垂れ板や後垂れ板は、様々な遊技機の異なる高さ寸法に対応できる縦巾に形成されている。かかる上方レール部材２２は、その上端板の内面が遊技機１１の上端から少し離隔して隙間２５が生じる高さに位置するように島上段１０Ｃの下面部４２に取付けられている。
【００３８】
それにより、本実施形態に係る遊技機島１０ｂによれば、遊技機１１の高さ寸法が比較的低い場合には、それだけ隙間１２５は大きくなるが、遊技機１１の上端前後は、上方レール部材２２の前垂れ板と後垂れ板とにより挾持されている。逆に遊技機１１の高さ寸法が比較的高い場合は、前記隙間２５が小さくなる分だけ、遊技機１１の上端が上方レール部材２２に深く嵌合する。
【００３９】
このように島中段１０Ｂをなす各遊技機１１の高さが不揃でも、高さの違いは懐の深い上方レール部材２０によって適宜吸収されるので、遊技機１１の摺動性を何ら損なうことなく、外観上も自然に配置させることができる。なお、前記第１，第２の実施形態と同種の部位については、同一符号を付し重複した説明は省略する。
【００４０】
なお、本発明に係る遊技機島は図示した各種実施形態に限定されるものではない。図２では１つの遊技機島に伸縮自在な幕板や所定の長さ設定された幕板を組合せるように含ませたが、１つの遊技機島に伸縮自在な幕板だけ、或は所定の長さの幕板だけを含むように構成してもよい。また、遊技機はパチンコ台に限定されるものではなく、例えば、遊技媒体としてメダルを用いるスロットマシン等でもかまわない。
【００４１】
【発明の効果】
本発明に係る遊技機島によれば、各遊技機を島長手方向に移動させることができるから、島構築の際の各遊技機の取付ける配置スペースの厳密な位置設定が不要となり、単に各遊技機を島長手方向に移動させて端から並ぶよう配置すればよく、遊技機の取付け作業が容易となり、コストを低減することができる。また、取付け後における位置ずれも容易に調整したり解消することができ、更には遊技機の交換作業も簡単に行なうことができる。
【００４２】
しかも、遊技機の移動に応じるように、島上段の外壁をなす幕板も各遊技機毎に対応するような適当な位置に移動させることができ、外観を損なうことがないし、幕板上に各遊技機毎に対応した紙片投入口や呼出しボタン等が配設されている場合には、これらを幕板ごと遊技者が操作し易いような位置に適宜調整することが可能となる。
また、前記紙幣投入口や呼出しボタン等のメンテナンスが必要となった場合には、幕板は上レールとしたレール間に摺動可能に挟持して配設されているので、伸縮自在の幕板を最小限の長さに縮めて点検用の隙間を確保することが可能となる。
【図面の簡単な説明】
【図１】本発明の第１の実施の形態に係る遊技機島を概略的に示す端面図である。
【図２】本発明の第１の実施の形態に係る遊技機島を示す正面図である。
【図３】本発明の第１の実施の形態に係る遊技機島を構成する島上段を拡大して示す端面図である（但し、幕板は断面を示す）。
【図４】本発明の第１の実施の形態に係る遊技機島を構成する伸縮自在な幕板を最小幅に縮めた状態を示す斜視図である。
【図５】本発明の第１の実施の形態に係る遊技機島を構成する伸縮自在な幕板を最大幅に伸ばした状態を示す斜視図である。
【図６】本発明の第１の実施の形態に係る遊技機島を構成する伸縮自在な幕板の伸縮状態を説明するための正面図である。
【図７】本発明の第２の実施の形態に係る遊技機島を概略的に示す端面図である。
【図８】本発明の第３の実施の形態に係る遊技機島を概略的に示す端面図である。
【図９】従来の遊技機島を示す斜視図である。
【符号の説明】
１０，１０ａ，１０ｂ…遊技機島
１０Ａ…島下段
１０Ｂ…島中段
１０Ｃ…島上段
１１…パチンコ台（遊技機）
２１…下方レール部材
２２…上方レール部材
６０，６０Ａ，６０Ｂ…幕板
【図１】
0003813209.tif 000002
【図２】
0003813209.tif 000003
【図３】
0003813209.tif 000004
【図４】
0003813209.tif 000005
【図５】
0003813209.tif 000006
【図６】
0003813209.tif 000007
【図７】
0003813209.tif 000008
【図８】
0003813209.tif 000009
【図９】
0003813209.tif 000010